(57)【要約】森林から得られる木くず、泥炭、樹皮及び草燃料や廃棄物燃料等を燃焼させるために、供給された固形燃料を支持可能に、ガス発生装置のガス化炉内で機能するように構成されたガス発生装置用の火格子であって、前記ガス化炉と共に実質的に円形の横断面を有し、同じ中心を持ち半径が異なる実質的な環状溝を備えることによって、前記環状溝が環状火格子環の間に形成され、かつ、前記環状溝の幅よりも大きい半径を持ち、前記火格子上に載置される多数の玉石を有する火格子。この発明は、火格子の中心軸の周りに回転可能であると共に、少なくともいくつかが環状火格子溝（９）を貫いて火格子の上面よりも高い位置まで上方に延在している複数の突起（６）を備えた部材（４）に、火格子を搭載する方法によって、達成される。
2006504922.tif 000002
【特許請求の範囲】
【請求項１】
森林から得られる木くず、泥炭、樹皮及び草燃料や廃棄物燃料等を燃焼させるために、供給された固形燃料を支持可能に、ガス発生装置のガス化炉で機能するように構成され、前記ガス化炉と共に実質的に円形の横断面を有し、同じ中心を持ち半径が異なる実質的な環状溝（９）を備えることによって前記環状溝が環状火格子環（３）の間に形成され、かつ、前記環状溝の幅よりも大きい半径を持ち、前記火格子上に載置される多数の玉石（２）を有するガス発生装置（７）用の火格子において、
前記火格子が、その中心軸の周りに回転可能であると共に、少なくともいくつかが環状火格子溝（９）を貫いて前記火格子の上面よりも高い位置まで上方に延在している複数の突起を備えた部材（４）に搭載されていることを特徴とするガス発生装置用の火格子。
【請求項２】
前記回転可能な部材が棒状体に支持されたレーキ（４）であり、かつ、前記レーキの突起が、その先端が前記火格子環（３）の上面よりも高い位置に達するまで前記レーキの棒状体から上方に延在しているペグ（６）であることを特徴とする請求項１に記載のガス発生装置用の火格子。
【請求項３】
前記火格子環（３）が、前記火格子の上面上に位置すると同時に前記玉石用の２以上の区画を形成する支持構造体（８）によって、互いに接続されていることを特徴とする請求項１又は２に記載のガス発生装置用の火格子。
【請求項４】
前記火格子環（３）の前記支持構造体（８）が、前記玉石（２）用の４つの区画が形成されるように、互いに直交した２つの平面部材を含み、前記平面部材の高さが前記玉石の直径の１．５倍よりも高く設定されていることを特徴とする請求項３に記載のガス発生装置用の火格子。
【請求項５】
前記玉石（２）が、鋼鉄又はセラミック材料等の金属で形成されていることを特徴とする請求項１〜４のいずれか１項に記載のガス発生装置用の火格子。
【請求項６】
前記レーキ（４）の回転速度が、調節可能又は自動制御可能であることを特徴とする請求項１〜４のいずれか１項に記載のガス発生装置用の火格子。
【発明の詳細な説明】
【技術分野】
【０００１】
この発明は、森林から得られる木くず、泥炭、樹皮及び草燃料や廃棄物燃料等を燃焼させるために、供給された固形燃料を支持可能に、ガス発生装置のガス化炉内で機能するように構成されたガス発生装置用の火格子であって、前記ガス化炉と共に実質的に円形の横断面を有し、同じ中心を持ち半径が異なる実質的な環状溝を備えることによって、前記環状溝が環状火格子環の間に形成され、かつ、前記環状溝の幅よりも大きい半径を持ち、前記火格子上に載置される多数の玉石を有する火格子に関する。
【背景技術】
【０００２】
固定床型ガス発生装置における重要な構成要素の１つはガス化炉用火格子である。下方気流型ガス発生装置において、燃焼工程中に、火格子の中に灰分が堆積し、生成ガスの流通を妨害するという問題がよく起こる。また、完全に燃焼する前に、燃料が灰分収集器の中に落下することによって、さらなる問題が起こる。
【０００３】
上記問題の解決策は、欧州特許出願公開番号０１０１１４３号明細書に開示された火格子の構造を特徴として、模索されてきた。この構造では、玉石床が火格子上に載置されると共に火格子が回転可能に構成されている。ガス化炉容器の内壁による玉石の摩擦によって、玉石は互いに関連して運動する。さらに、火格子の駆動軸における軸受け組立体は、火格子が回転するにつれて、火格子が揺れ動き振動するように、意図的に不安定な状態に設計されている。その結果、灰分は、玉石床とその下にある火格子を通って落下することがあり、それによって、燃焼工程が改善される。
【発明の開示】
【発明が解決しようとする課題】
【０００４】
しかし、引用した公報に記載された装置は、その機能性において満足できるものではないし、所定の燃焼工程用にその機能性を最適化することが困難である。この発明における玉石床火格子の機能は、ガス発生装置の機能性を改善することである。
【課題を解決するための手段】
【０００５】
この発明の火格子は、その中心軸の周りに回転可能であると共に、少なくともいくつかが環状火格子溝を貫いて前記火格子の上面よりも高い位置まで上方に延在している複数の突起を備えた部材に搭載されていることを特徴とする。
【０００６】
この発明の火格子における好ましい態様においては、前記回転可能な部材が棒状体に支持されたレーキであり、かつ、前記レーキの突起が、その先端が前記火格子環の上面よりも高い位置に達するまで前記レーキの棒状体から上方に延在するペグであることを特徴とする。
【０００７】
この発明の火格子における好ましい態様においては、前記火格子環が、前記火格子の上面上に位置すると同時に前記玉石用の２以上の区画を形成する支持構造体によって、互いに接続されていることを特徴とする。
【０００８】
この発明の火格子における好ましい態様においては、前記火格子環支持構造体が、４つの区画が形成されるように、互いに直交した２つの平面部材を含み、前記平面部材の高さが前記玉石の直径の１．５倍よりも高く設定されていることことを特徴とする。
【発明の効果】
【０００９】
したがって、この発明の目的は、環状火格子環、前記火格子の上面よりも高く突出しているペグを備えた回転可能なレーキ、及び、玉石床を含む火格子を用いることによって、達成される。玉石床は、レーキのペグ先端の働きによって、揺動する。レーキの回転速度は、燃焼工程における強度、すなわち、所望の処理生産量に従って制御される。玉石は、燃焼工程が完全に行われるように、未燃焼の燃料が落下する時期を好適に遅らせる。レーキ及びその突出したペグの運動によって、玉石は灰分の堆積層を揺り動かし、このようにして、灰分は火格子を通って連続的に落下する。したがって、生成ガスの流通経路を無障害の状態に保つことができる。
【発明を実施するための最良の形態】
【００１０】
以下に、添付した図面を参照して、この発明の好ましい典型的な形態について、より詳細に説明する。
【００１１】
図１を参照すると、図１には、ガス発生装置７における火格子部分の縦断面図が示されている。このガス発生装置７は、この発明の玉石火格子構造物が導入されている。火格子は、環状溝９によって、互いに離れた状態で間隔を有する同心円状の火格子環３で形成されている（図２）。ここで述べた好ましい典型的な形態においては、玉石２を二層にした構造が使用されている。これらの玉石は、鋼鉄、セラミック材料等の金属で形成することができる。玉石が火格子の前記溝から落ちないように、玉石の直径は、火格子環間にある環状溝の幅よりも大きくする必要がある。動作中に、森林から得られる木くず、泥炭、草燃料や、のこぎりの粉塵、分別された都市ごみ等の原料を玉石床上に供給し、ガス発生装置内で燃焼させる。
【００１２】
以下に示す火格子は、駆動軸５に連結され、基本的に長く延在した棒状体を含む回転可能なレーキ４に搭載されている。回転レーキ４は、環状溝９を貫いて上方に延在するペグ６を支持している。ペグ６の先端は、火格子の上面よりも高くなるようになっている。有利には、ペグ６の先端は、図１の拡大詳細図に示されるように、丸められている。レーキ４が回転している間、ペグは玉石床を揺り動かすと同時に玉石を持ち上げる。
【００１３】
図２に示されるように、玉石２は、火格子環３の支持構造体８で分割された区画に収まっている。支持構造体８の壁面は、玉石の直径の１．５倍よりも高く形成されているので、区画の中では、これらの玉石は少なくとも２層になっている。図２に示す態様においては、４つの区画が形成されているが、区画数については基本的に限定されない。支持構造体８の壁で区画に分割することによって、レーキが回転する時に、玉石がペグを突きながら過剰に動くのを効果的に抑制することができる。玉石床における層数は、与えられた数に決して制限されないことは明らかであり、代わりに、１層又はそれ以上の数の層にすることもできる。より明確にするために、図２には、１区画の一部のみが玉石で満たされた状態が図示されている。実際には、火格子の全表面が玉石で満たされている。
【００１４】
この発明の玉石火格子は、火格子溝を貫いて突出している回転レーキのペグ６の働きによって、揺り動かされる多数の玉石を有する手段によって、機能する。レーキの回転速度は、燃焼工程における燃焼強度、すなわち、所望の処理生産量に比例して、制御される。玉石は、燃焼工程が、完全に行われるように、未燃焼の燃料が落下する時期を好適に遅らせる。レーキ及び突出したペグによって動かされた多数の玉石の動きによって、これらの玉石は灰分の堆積層を激しく揺り動かし、このようにして、灰分は火格子を通って連続的に落下する。同時に、生成ガスの流通経路を無障害の状態の状態に保つことができる。
【００１５】
当業者にとって、この発明が上述した好ましい典型的な形態に限定されないことは明らかであるだけではなく、むしろ、添付した特許請求の範囲の目的及び精神の範囲内で、種々の変更が可能であることも明らかである。例えば、レーキの回転動作は、無段階に調整又は制御可能である。
【図面の簡単な説明】
【００１６】
【図１】図１は、ガス発生装置における火格子部分の縦断面図である。
【図２】図２は、図１に示す火格子構造物の平面図である。
【図１】
2006504922.tif 000003
【図２】
2006504922.tif 000004
【国際調査報告】
2006504922.tif 000005
2006504922.tif 000006